(57)【特許請求の範囲】
【請求項１】
飯容器と菜容器を外ケースに取出自在に収納して成る弁当箱において、
飯容器（１）は、断熱保温性を有する器体（６）と、該器体の開口部を開閉自在に施蓋すると共に断熱保温性を有する蓋体（８）とから成り、蓋体（８）の上面に直径方向に延びる摘み部（１１）を挟んで凹部（１２、１２）を形成しており、
菜容器（２）は、保温性を有しない器体（１９）と、該器体の開口部を開閉自在に施蓋すると共に保温性を有しない蓋体（２１）とから成り、器体（１９）の底部に前記凹部（１２、１２）に係止する突座（２２）を設けると共に、蓋体（２１）の頂面に凹陥部（２５）を設けており、
外ケース（３）は、上部に開口部を有する下部ケース体（４）と、下部に開口部を有する保温性を有しない上部ケース体（５）とから構成され、下部ケース体（４）の上部開口縁（２８）に上部ケース体（５）の下部開口縁（３５）をネジ（２８、３５）を介して着脱自在に螺着して成り、下部ケース体（４）により飯容器（１）を収納する下部収納室（２７）を形成すると共に、上部ケース体（５）により菜容器（２）を収納する上部収納室（３２）を形成しており、上部ケース体（５）の頂壁に直径方向に延びる把持部（３３）を挟んで凹陥する凹壁（３４、３４）を形成し、上部ケース体（５）を把持部（３３）を介して回転させながら下部ケース体（４）に螺進せしめたとき、凹壁（３４、３４）を菜容器（２）の蓋体（２１）の凹陥部（２５）に進入せしめ係止するように構成して成ることを特徴とする弁当箱。
【発明の詳細な説明】
【０００１】
【発明の属する技術分野】
本発明は、携帯自在な弁当箱に係り、特に、飯容器と菜容器を外ケースに取出自在に収納して成る弁当箱に関する。
【０００２】
【従来の技術】
従来、種々の弁当箱が提供されているが、米飯と惣菜を分離して収納せしめるため、飯容器と菜容器を別個独立に設け、両容器を組合せ結合したものが好評を博している。
【０００３】
例えば、従来公知の弁当箱は、飯容器と菜容器を多段式に積層し、下側の容器の上部開口を上側の容器の底部により施蓋せしめ、最上層の容器の上部開口を蓋体により施蓋し、蓋体に設けた一対の回動自在な耳片を最下層の容器の係止片に着脱自在に係止することにより、積層された容器を一体的に組合せた構成としている。
【０００４】
【発明が解決しようとする課題】
一般的に、米飯や惣菜は、調理された直後に飯容器及び菜容器に収納されるため、高温状態とされている。通常、惣菜は冷め易いが、米飯は冷め難く比較的長時間にわたり温い状態を維持する。
【０００５】
このため、前述のような飯容器と菜容器を多段式に積層した弁当箱によれば、所定時間を経過することにより菜容器に収納された惣菜が冷めた後においても、飯容器が温められた状態を持続しているから、上下に積層された飯容器から菜容器に対する熱の伝達により、惣菜が温められ腐敗し易い環境を生成し、食中毒の原因となる虞れがある。
【０００６】
【課題を解決するための手段】
本発明は、上記課題に鑑み、飯容器から菜容器に対する熱の伝達を防止すると共に、菜容器を冷め易いように構成した弁当箱を提供するものである。
【０００７】
そこで、本発明が手段として構成したところは、飯容器と菜容器を外ケースに取出自在に収納して成る弁当箱において、飯容器は、断熱保温性を有する器体と、該器体の開口部を開閉自在に施蓋すると共に断熱保温性を有する蓋体とから成り、蓋体の上面に直径方向に延びる摘み部を挟んで凹部を形成しており、菜容器は、保温性を有しない器体と、該器体の開口部を開閉自在に施蓋すると共に保温性を有しない蓋体とから成り、器体の底部に前記凹部に係止する突座を設けると共に、蓋体の頂面に凹陥部を設けており、外ケースは、上部に開口部を有する下部ケース体と、下部に開口部を有する保温性を有しない上部ケース体とから構成され、下部ケース体の上部開口縁に上部ケース体の下部開口縁をネジを介して着脱自在に螺着して成り、下部ケース体により飯容器を収納する下部収納室を形成すると共に、上部ケース体により菜容器を収納する上部収納室を形成しており、上部ケース体の頂壁に直径方向に延びる把持部を挟んで凹陥する凹壁を形成し、上部ケース体を把持部を介して回転させながら下部ケース体に螺進せしめたとき、凹壁を菜容器の蓋体の凹陥部に進入せしめ係止するように構成して成る点にある。
【０００８】
【発明の実施の形態】
以下図面に基づいて本発明の好ましい実施形態を詳述する。
【０００９】
図１及び図２に示すように、弁当箱は、断熱保温性を有する飯容器１と、断熱保温性を有しない菜容器２と、これらの両容器１、２を積層状態で収納する外ケース３とから構成されており、更に、外ケース３は、下部ケース体４と上部ケース体５により構成されている。
【００１０】
（飯容器の構成）
飯容器１は、断熱保温性を有する有底の円筒状の器体６と、同様に断熱保温性を有すると共に該器体６の上部の開口部７を開閉自在に施蓋する蓋体８とから構成されている。
【００１１】
図２に示すように、器体６は、ステンレス製の内外二重壁９ａ、９ｂから成る真空断熱保温容器を構成しており、外壁９ｂの底部に形成した凹部に円板状の合成樹脂製の座板１０を固着している。一方、蓋体８は、上面に直径方向に延びる摘み部１１を挟んで凹部１２、１２を形成した合成樹脂製の上板部１３と、該上板部１３の下側に固着された合成樹脂製の椀部１４とから形成され、該椀部１４の中空内部に発泡スチロール等の断熱材１５を充填することにより断熱保温蓋を構成している。
【００１２】
蓋体８により器体６の開口部７を施蓋するに際しては、蓋体８の椀部１４が開口部７に挿入される栓を構成し、椀部１４の外周突条と内壁９ａの内周突条により形成された係止手段１６を係止する。この状態で、椀部１４の外周に延びる上板部１３の下向き折曲片１７が器体６の開口縁を包囲すると共に、該折曲片１７の内側に設けたシールパッキン１８が器体６の開口縁に密接する。
【００１３】
（菜容器の構成）
菜容器２は、保温性を有しない有底の円筒状の器体１９と、同様に保温性を有せず該器体１９の上部の開口部２０を開閉自在に施蓋する蓋体２１とから構成されている。
【００１４】
図２に示すように、器体１９は、合成樹脂製の椀状に形成され、底部に突座２２を設けると共に、開口縁２０ａの近傍において外周に延びるフランジ２３を形成している。一方、蓋体２１は、器体１９の開口縁に外嵌される周壁２４を有する下向きの皿状に形成され、頂面に凹陥部２５を設けている。
【００１５】
（外ケースの構成）
外ケース３を構成する下部ケース体４は、合成樹脂により形成されると共に、有底の円筒状に形成され、上部に開口部２６を設け、飯容器１のほぼ全体を適合状に収納する下部収納室２７を構成する。下部ケース体４の開口縁の外周には雄ネジ２８が周設されており、開口縁の近傍において外周に延びるフランジ２９を形成している。尚、直径方向に対向する２個所に位置して、フランジ２９の下方から円筒の外方に突出する軸片３０が設けられ、図示省略した肩掛け用のストラップを連結可能とするように構成されている。
【００１６】
外ケース３を構成する上部ケース体５は、合成樹脂により形成されると共に、頂壁を有する円筒状に形成され、下部に開口部３１を設け、菜容器２のほぼ全体を収納する上部収納室３２を構成する。頂壁には直径方向に延びる把持部３３を挟んで凹陥する凹壁３４、３４が形成されており、開口縁の内周には雌ネジ３５が周設されている。
【００１７】
図例の場合、下部ケース体４は、単一壁から成る合成樹脂製の円筒体とされ、従って、断熱保温性を有しないが、二重壁から成る断熱保温ケースを構成しても良い。然しながら、上部ケース体５は、本発明の目的のため、断熱保温性を有しないことが必要であり、合成樹脂製又は金属製の何れとする場合でも図示のような単一壁により構成され、放熱冷却性を良好ならしめている。
【００１８】
（作用）
上記構成に基づく弁当箱によれば、炊きたての米飯Ｘは、飯容器１に入れられる。飯容器１は、真空二重壁構造の器体６を断熱性の蓋体８により施蓋されるので、米飯Ｘを断熱状態で保有する。一方、調理後の惣菜Ｙは菜容器２に入れられる。菜容器２は、保温性を有しない器体１９を同様に保温性を有しない蓋体２１により施蓋されるので、収納時には惣菜Ｙが高温とされる場合でも、速やかに放熱され常温まで冷却される。
【００１９】
外出等、弁当箱を携帯するに際しては、先ず、飯容器１を下部ケース体４の下部収納室２７に収納する。図２に示すように、座板１０が下部ケース体４の底部に載置された状態で、器体６の外壁９ｂ及び蓋体８の下向き折曲片１７が下部ケース体４の内周壁面にほぼ適合せしめられるので、飯容器１が下部収納室２７の内部で遊動することはない。この状態で、飯容器１は、蓋体８の上板部１３を下部ケース体４の開口縁の近傍に位置せしめるように収納されている。
【００２０】
次いで、飯容器１の上に菜容器２を載置する。この際、菜容器２における器体１９の突座２２と、飯容器１における蓋体８の凹部１２とが相互に係止する。従って、菜容器２は安定的に載置され、少なくとも径方向には遊動しない。
【００２１】
その後、上部ケース体５を、菜容器２を覆いかぶせるようにして下部ケース体４の上部に配置し、把持片３３を介して上部ケース体５を回転させながら雌ネジ３５を雄ネジ２８に螺着せしめることにより連結すれば、菜容器２が上部収納室３２に収納される。この状態で、上部ケース体５の凹壁３４が菜容器２における蓋体２１の凹陥部２５に進入すると共に係止するので、菜容器２は、上部収納室３２の内部で上下方向及び径方向（図面において左右方向）に遊動しない。
【００２２】
弁当箱の携帯中、米飯Ｘの熱は、断熱保温性を有する飯容器１の内部に封じ込められており、従って、器体６及び蓋体８は外側表面に熱を帯びることはない。一方、調理後に熱を有していた惣菜Ｙは、保温性を有しない菜容器２を介して外部に放熱され常温まで冷却される。しかも、菜容器２を収納した上部収納室３２を構成する上部ケース体５も保温性を有しないから、菜容器２から放出される熱は上部ケース体５を介して外部に容易に放熱される。その結果、従来のように惣菜Ｙが温められ腐敗する危険性は極めて低いものとなる。
【００２３】【発明の効果】本発明によれば、飯容器１と菜容器２を別個独立に構成した弁当箱において、米飯Ｘを断熱保温性のある飯容器１に収納することにより熱を封じ込める一方、惣菜Ｙを保温性のない菜容器２に収納することにより熱を放出せしめ、しかも、飯容器１と菜容器２をそれぞれ下部ケース体４の下部収納室２７と上部ケース体５の上部収納室３２に区分けして収納せしめる構成であるから、従来のように飯容器から菜容器に対する熱の伝達により惣菜を温め腐敗し易い環境を生成することはなく、食中毒からの安全性を保証できるという効果がある。
そして、飯容器１の上に菜容器２を載置した状態で、菜容器２における器体１９の突座２２と、飯容器１における蓋体８の凹部１２とが相互に係止するので、菜容器２が安定的に載置され、遊動しないという効果がある。
しかも、把持部３３を介して上部ケース体５を好適に回転させながら下部ケース体４に螺着せしめ、菜容器２を上部収納室３２に収納せしめたとき、上部ケース体５の凹壁３４が菜容器２における蓋体２１の凹陥部２５に進入すると共に係止するので、菜容器２が上部収納室３２の内部で上下方向及び径方向に遊動しないという効果がある。
【図面の簡単な説明】
【図１】本発明の１実施形態の分解状態を示す斜視図である。
【図２】本発明の１実施形態の組付け状態を示す縦断面図である。
【符号の説明】
１    飯容器
２    菜容器
３    外ケース
４    下部ケース体
５    上部ケース体
６    飯容器の器体
８    飯容器の蓋体
１９    菜容器の器体
２１    菜容器の蓋体
２７    下部収納室
３２    上部収納室
【図１】
0003544531.tif 000002
【図２】
0003544531.tif 000003